【手続補正書】
【提出日】平成26年5月29日(2014.5.29)
【手続補正１】
【補正対象書類名】特許請求の範囲
【補正対象項目名】全文
【補正方法】変更
【補正の内容】
【特許請求の範囲】
【請求項１】
図柄変動ゲームが大当りとなった場合には、当該図柄変動ゲームの終了後、遊技者にとっての有利度が異なる複数種類の大当り遊技のうち何れかの大当り遊技が付与され、当該大当り遊技の付与中には遊技盤に配設されている特別入賞手段が開放する遊技機において、
前記大当り遊技の付与中に前記遊技盤に配設されている入賞口に遊技球が入賞した際、特別演出を実行するか否かを判定する実行判定手段と、
前記実行判定手段の判定結果が肯定の場合には、付与中の大当り遊技が終了するまでの間に、前記特別演出を演出実行手段に実行させる特別演出制御手段と、
前記特別入賞手段に遊技球が入賞した際には予め定められた第１個数の賞球を払い出すとともに、前記入賞口に遊技球が入賞した際には予め定められた第２個数の賞球を払い出す賞球払出手段と、を備え、
前記特別演出制御手段は、
付与中の大当り遊技が遊技者にとって有利度の高い大当り遊技である場合には有利結果を導出する特別演出を実行させる一方、付与中の大当り遊技が遊技者にとって有利度の低い大当り遊技である場合には非有利結果を導出する特別演出を実行させるようになっており、
前記特別入賞手段に入賞した遊技球が予め定められた個数に達することが大当り遊技の終了条件として少なくとも含まれ、
前記遊技盤には、第１方向と第２方向のうち何れの方向に遊技球を打ち出した場合でも前記特別入賞手段に遊技球が入賞可能となる一方で、前記第２方向に遊技球を打ち出した場合には前記第１方向に遊技球を打ち出した場合と比較して前記入賞口に遊技球が入賞し難くなるとともに、前記第２方向に遊技球を打ち出した場合には前記１方向に遊技球を打ち出した場合と比較して遊技球を打ち出してから当該遊技球が前記特別入賞手段まで転動する平均時間が短くなるように、かつ同じ大当り遊技が付与されたときに、前記第１方向に遊技球を打ち出した場合に前記入賞口と前記特別入賞手段に遊技球が入賞することで前記賞球払出手段によって払い出される賞球の合計個数から大当り遊技中に前記第１方向へ打ち出した遊技球の個数を差し引いた第１賞球数と、前記第２方向に遊技球を打ち出した場合に前記入賞口と前記特別入賞手段に遊技球が入賞することで前記賞球払出手段によって払い出される賞球の合計個数から大当り遊技中に前記第２方向へ打ち出した遊技球の個数を差し引いた第２賞球数と、が同等の個数となるように、遊技球の転動方向を変更する障害部材、前記入賞口及び前記特別入賞手段が、配設されていることを特徴とする遊技機。
【請求項２】
大当り遊技には、大当りとなる確率が高確率となる確変状態が大当り遊技の終了後に付与される確変大当りと、前記確変状態が大当り遊技終了後に付与されない非確変大当りと、があり、
前記特別演出制御手段は、
付与中の大当り遊技が前記確変大当りである場合には有利結果を導出する前記特別演出を実行させる一方、付与中の大当り遊技が前記非確変大当りである場合には非有利結果を導出する前記特別演出を実行させることを特徴とする請求項１に記載の遊技機。
【請求項３】
前記入賞口に遊技球が入賞されたことに基づき予め定めた上限回数までの図柄変動ゲームの実行が保留されたことを記憶する保留記憶手段を備え、
前記実行判定手段は、有利度の高い大当り遊技の付与中、前記入賞口に遊技球が入賞した際、実行が保留されている図柄変動ゲームの回数が上限回数であるか否かに関係なく、前記特別演出を実行するか否かについて判定することを特徴とする請求項１又は請求項２に記載の遊技機。
【手続補正２】
【補正対象書類名】明細書
【補正対象項目名】０００７
【補正方法】変更
【補正の内容】
【０００７】
上記問題点を解決するために、請求項１に記載の発明は、図柄変動ゲームが大当りとなった場合には、当該図柄変動ゲームの終了後、遊技者にとっての有利度が異なる複数種類の大当り遊技のうち何れかの大当り遊技が付与され、当該大当り遊技の付与中には遊技盤に配設されている特別入賞手段が開放する遊技機において、前記大当り遊技の付与中に前記遊技盤に配設されている入賞口に遊技球が入賞した際、特別演出を実行するか否かを判定する実行判定手段と、前記実行判定手段の判定結果が肯定の場合には、付与中の大当り遊技が終了するまでの間に、前記特別演出を演出実行手段に実行させる特別演出制御手段と、前記特別入賞手段に遊技球が入賞した際には予め定められた第１個数の賞球を払い出すとともに、前記入賞口に遊技球が入賞した際には予め定められた第２個数の賞球を払い出す賞球払出手段と、を備え、前記特別演出制御手段は、付与中の大当り遊技が遊技者にとって有利度の高い大当り遊技である場合には有利結果を導出する特別演出を実行させる一方、付与中の大当り遊技が遊技者にとって有利度の低い大当り遊技である場合には非有利結果を導出する特別演出を実行させるようになっており、前記特別入賞手段に入賞した遊技球が予め定められた個数に達することが大当り遊技の終了条件として少なくとも含まれ、前記遊技盤には、第１方向と第２方向のうち何れの方向に遊技球を打ち出した場合でも前記特別入賞手段に遊技球が入賞可能となる一方で、前記第２方向に遊技球を打ち出した場合には前記第１方向に遊技球を打ち出した場合と比較して前記入賞口に遊技球が入賞し難くなるとともに、前記第２方向に遊技球を打ち出した場合には前記１方向に遊技球を打ち出した場合と比較して遊技球を打ち出してから当該遊技球が前記特別入賞手段まで転動する平均時間が短くなるように、かつ同じ大当り遊技が付与されたときに、前記第１方向に遊技球を打ち出した場合に前記入賞口と前記特別入賞手段に遊技球が入賞することで前記賞球払出手段によって払い出される賞球の合計個数から大当り遊技中に前記第１方向へ打ち出した遊技球の個数を差し引いた第１賞球数と、前記第２方向に遊技球を打ち出した場合に前記入賞口と前記特別入賞手段に遊技球が入賞することで前記賞球払出手段によって払い出される賞球の合計個数から大当り遊技中に前記第２方向へ打ち出した遊技球の個数を差し引いた第２賞球数と、が同等の個数となるように、遊技球の転動方向を変更する障害部材、前記入賞口及び前記特別入賞手段が、配設されていることを要旨とする。
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】変更
【補正の内容】
【０００９】
請求項２に記載の発明は、請求項１に記載の遊技機において、大当り遊技には、大当りとなる確率が高確率となる確変状態が大当り遊技の終了後に付与される確変大当りと、前記確変状態が大当り遊技終了後に付与されない非確変大当りと、があり、前記特別演出制御手段は、付与中の大当り遊技が前記確変大当りである場合には有利結果を導出する前記特別演出を実行させる一方、付与中の大当り遊技が前記非確変大当りである場合には非有利結果を導出する前記特別演出を実行させることを要旨とする。
請求項３に記載の発明は、請求項１又は請求項２に記載の遊技機において、前記入賞口に遊技球が入賞されたことに基づき予め定めた上限回数までの図柄変動ゲームの実行が保留されたことを記憶する保留記憶手段を備え、前記実行判定手段は、有利度の高い大当り遊技の付与中、前記入賞口に遊技球が入賞した際、実行が保留されている図柄変動ゲームの回数が上限回数であるか否かに関係なく、前記特別演出を実行するか否かについて判定することを要旨とする。
【手続補正５】
【補正対象書類名】明細書
【補正対象項目名】０１１９
【補正方法】変更
【補正の内容】
【０１１９】
次に、上記実施形態及び別例から把握できる技術的思想を以下に追記する。
（イ）前記入賞口に遊技球が入賞されたことに基づき予め定めた上限回数までの図柄変動ゲームの実行が保留されたことを記憶する保留記憶手段を備え、前記実行判定手段は、有利度の高い大当り遊技の付与中、前記入賞口に遊技球が入賞した際、実行が保留されている図柄変動ゲームの回数が上限回数であるか否かに関係なく、前記特別演出を実行するか否かについて判定する。
【手続補正６】
【補正対象書類名】明細書
【補正対象項目名】０１２０
【補正方法】変更
【補正の内容】
【０１２０】
（ロ）前記遊技盤には、前記第１方向と前記第２方向のうち何れの方向に遊技球を打ち出した場合でも同等の確率で前記特別入賞手段に遊技球が入賞するように、前記障害部材、前記入賞口及び前記特別入賞手段が配設されている。